【手続補正書】
【提出日】平成29年7月20日(2017.7.20)
【手続補正１】
【補正対象書類名】明細書
【補正対象項目名】００５８
【補正方法】変更
【補正の内容】
【００５８】
図７に示されるように、吸収性物品１の展開状態において、第１弾性部材３３は、幅方向中央線ＷＣ及び第１吸収コア側縁１５が交差する第１交点５１と、第１前方フラップ部６の外縁４１の幅方向Ｗの最も外側の部分の中で長手方向Ｌの中央に位置する第１前方点５３とを結ぶ第１前方仮想線分ＶＬ1と、吸収性物品１の厚さ方向（図示せず）に重複しないように配置されている。また、第２弾性部材３５は、吸収性物品１の展開状態において、幅方向中央線ＷＣ及び第２吸収コア側縁１６が交差する第２交点５２と、第２前方フラップ部１０の外縁４２の幅方向Ｗの最も外側の部分の中で長手方向Ｌの中央に位置する第２前方点５４とを結ぶ第２前方仮想線分ＶＬ2と、吸収性物品１の厚さ方向（図示せず）に重複しないように配置されている。
【手続補正２】
【補正対象書類名】明細書
【補正対象項目名】００５９
【補正方法】変更
【補正の内容】
【００５９】
着衣が、脚周り開口部のラインが浅いものである場合、例えば、ローレッグカット型である場合には、着衣の脚周り開口部２０３及び脚周り開口部２０５が、それぞれ、第１前方仮想線分ＶＬ1及び第２前方仮想線分ＶＬ2のラインを通る傾向がある。そのような場合であっても、着用状態において、着衣の脚周り開口部２０３が、第１弾性部材３３と確実に離間し、第１中央フラップ部７（第１レッグギャザー４３）が着衣の内側に引き込まれにくくなり、吸収性物品１の位置がずれにくくなるとともに、第１レッグギャザー４３がその機能を発揮しやすくなる。
【手続補正３】
【補正対象書類名】明細書
【補正対象項目名】００６８
【補正方法】変更
【補正の内容】
【００６８】
図２に示されるように、吸収性本体部３が、第１前方点５３と、第２前方点５４とを通る仮想線ＶＬよりも前方に、着衣に固定するため固定部１７を備える。そうすることにより、着用者が、吸収性物品１を着用する際に、第１前方フラップ部６及び第２前方フラップ部１０を把持して吸収性物品１の位置を整えやすくなるとともに、着用状態において吸収性物品１の前方領域ＦＲの部分が着用者の鼠径部にフィットし続け、そして吸収性物品１がよれにくくなる。
【手続補正４】
【補正対象書類名】特許請求の範囲
【補正対象項目名】全文
【補正方法】変更
【補正の内容】
【特許請求の範囲】
【請求項１】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記中央領域の第１領域及び第２領域のそれぞれにおいて、前記吸収性本体部の、前記長手方向の側縁から前記幅方向に延出しているフラップ部とを備え、
前記中央領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
前記中央領域の第１領域及び第２領域のそれぞれにおいて、前記フラップ部が、前記長手方向に延び且つ前記長手方向に収縮する弾性部材を備え、
前記前方領域の第１領域及び第２領域のそれぞれにおいて、前記吸収性物品が、前記フラップ部であって、前記フラップ部の外縁と、前記吸収コアの側縁との間の、前記幅方向の長さが、前記吸収コアの側縁と、前記長手方向中央線との間の、前記幅方向の長さよりも長い部分を含むものをさらに備え、
第１領域及び第２領域のそれぞれにおいて、前記弾性部材が、前記長手方向の前方の端部及び後方の端部を備え、前記前方の端部が、前記後方の端部よりも、前記吸収性物品の幅方向中央線に近い、
ことを特徴とする、前記吸収性物品。
【請求項２】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記中央領域の第１領域及び第２領域のそれぞれにおいて、前記吸収性本体部の、前記長手方向の側縁から前記幅方向に延出しているフラップ部とを備え、
前記中央領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
前記中央領域の第１領域及び第２領域のそれぞれにおいて、前記フラップ部が、前記長手方向に延び且つ前記長手方向に収縮する弾性部材を備え、
前記前方領域の第１領域及び第２領域のそれぞれにおいて、前記吸収性物品が、前記フラップ部であって、前記フラップ部の外縁と、前記吸収コアの側縁との間の、前記幅方向の長さが、前記吸収コアの側縁と、前記長手方向中央線との間の、前記幅方向の長さよりも長い部分を含むものをさらに備え、
第１領域及び第２領域のそれぞれでは、前記弾性部材が、前記吸収性物品の幅方向中央線及び前記吸収コアの側縁が交差する交点と、前記前方領域における前記フラップ部の外縁の前記幅方向の最も外側の部分の中で前記長手方向の中央に位置する前方点とを結ぶ仮想線分と、前記吸収性物品の厚さ方向に重複しないように配置されている、
ことを特徴とする、前記吸収性物品。
【請求項３】
前記前方領域の第１領域及び第２領域のそれぞれにおいて、前記フラップ部が、前記固定部を有しない、請求項１又は２に記載の吸収性物品。
【請求項４】
前記後方領域の第１領域及び第２領域のそれぞれにおいて、前記吸収性物品が、前記フラップ部であって、前記中央領域における前記フラップ部よりも、前記幅方向の外側に延出しているとともに、前記固定部を有するものをさらに備える、請求項３に記載の吸収性物品。
【請求項５】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記中央領域の第１領域及び第２領域のそれぞれにおいて、前記吸収性本体部の、前記長手方向の側縁から前記幅方向に延出しているフラップ部とを備え、
前記中央領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
前記中央領域の第１領域及び第２領域のそれぞれにおいて、前記フラップ部が、前記長手方向に延び且つ前記長手方向に収縮する弾性部材を備え、
前記前方領域の第１領域及び第２領域のそれぞれにおいて、前記吸収性物品が、前記フラップ部であって、前記フラップ部の外縁と、前記吸収コアの側縁との間の、前記幅方向の長さが、前記吸収コアの側縁と、前記長手方向中央線との間の、前記幅方向の長さよりも長い部分を含むものをさらに備え、
前記前方領域の第１領域及び第２領域のそれぞれにおいて、前記フラップ部が、前記固定部を有せず、
前記後方領域の第１領域及び第２領域のそれぞれにおいて、前記吸収性物品が、前記フラップ部であって、前記中央領域における前記フラップ部よりも、前記幅方向の外側に延出しているとともに、前記固定部を有するものをさらに備える、
ことを特徴とする、前記吸収性物品。
【請求項６】
前記後方領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含む、請求項５に記載の吸収性物品。
【請求項７】
第１領域及び第２領域のそれぞれにおいて、前記弾性部材が、前記長手方向の前方の端部及び後方の端部を備え、前記前方の端部が、前記後方の端部よりも、前記吸収性物品の幅方向中央線に近い、請求項５又は６に記載の吸収性物品。
【請求項８】
第１領域及び第２領域のそれぞれでは、前記弾性部材が、前記吸収性物品の幅方向中央線及び前記吸収コアの側縁が交差する交点と、前記前方領域における前記フラップ部の外縁の前記幅方向の最も外側の部分の中で前記長手方向の中央に位置する前方点とを結ぶ仮想線分と、前記吸収性物品の厚さ方向に重複しないように配置されている、請求項５〜７のいずれか一項に記載の吸収性物品。
【請求項９】
前記中央領域の第１領域及び第２領域のそれぞれにおいて、前記フラップ部が、着用状態において、少なくともその一部が着用者の内ももに沿って下方に延びるように構成されている、請求項１〜８のいずれか一項に記載の吸収性物品。
【請求項１０】
第１領域及び第２領域のそれぞれでは、前記吸収性物品が、着用状態において当該吸収性物品から着用者の肌に向かって起立する防漏壁であって、その固定端が、前記フラップ部に存在するものを備える、請求項１〜９のいずれか一項に記載の吸収性物品。
【請求項１１】
前記中央領域の第１領域及び第２領域のそれぞれにおいて、前記フラップ部が、前記固定部を有しない、請求項１〜１０のいずれか一項に記載の吸収性物品。
【請求項１２】
前記前方領域の第１領域及び第２領域のそれぞれにおいて、前記フラップ部が、着用状態で、少なくともその一部が着用者の鼠径部に沿って着衣の外側に延出するように構成されている、請求項１〜１１のいずれか一項に記載の吸収性物品。
【請求項１３】
前記吸収性物品が、その幅方向中央線に沿って２つ折りされている、請求項１〜１２のいずれか一項に記載の吸収性物品。